(57)【要約】【課題】  収納効率や展示効率を高めることができながらも、位置合わせなどの煩わしい作業を不要にでき、しかも傷付けることがないだけでなく、取扱上において有利な履物用吊下袋を提供する点にある。【解決手段】  上方に突出する状態で備えさせた吊り下げ部３と、左右一組の履物をはき口が前方に向いた状態で、かつ、仕切部材４にて左右方向で仕切った状態で収納するための袋本体５と、前記袋本体５に履物を挿入するために形成した開口を閉じるための蓋体７とからなり、前記蓋体７から前記袋本体５内に収納された履物を前記開口６を通して視認可能となるように少なくとも該蓋体７の一部を透明又は半透明な材料から構成した。【選択図】        図１
2006034846.tif 000002
【特許請求の範囲】
【請求項１】
上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために形成した開口を閉じるための蓋体とからなり、前記蓋体から前記袋本体内に収納された履物を前記開口を通して視認可能となるように少なくとも該蓋体の一部を透明又は半透明な材料から構成してなる履物用吊下袋。
【請求項２】
前記袋本体を、底部から上方へ立ち上げられた前側部、後側部、左右一対の横側部の４枚の可撓性を有するシート状部材からなり、前記前側部が、上下方向ほぼ中央部から上側を省略して前記開口を形成し、少なくとも前記開口に対応する前記蓋体の部分を透明な材料から構成してなる請求項１記載の履物用吊下袋。
【請求項３】
前記吊り下げ部を、吊り下げるためのフック部と該フック部の下端に備えた水平支持部とから構成し、前記水平支持部の両端を差し込んで固定するためのゴム又は軟質性樹脂にて作成された左右一対の筒状部材を前記後側部の上側に取り付け、前記袋本体の上端の左右方向ほぼ中央に形成した貫通孔を通して前記フック部を上方へ突出させてなる請求項１又は２記載の履物用吊下袋。
【請求項４】
上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために少なくとも前方に形成した開口を閉じるための蓋体とからなり、前記蓋体の一端を前記袋本体の後側に固定し、かつ、該蓋体にて前方の開口を閉じてから該袋本体の後側まで該蓋体の他端側を巻回して固定してなる履物用吊下袋。
【請求項５】
前記袋本体の後側に補強用部材を設けてなる請求項４に記載の履物用吊下袋。
【請求項６】
上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために形成した開口を閉じるために該袋本体の上端に連結された蓋体とからなり、前記仕切部材を袋本体の後側内面に折り畳み自在に構成し、前記仕切部材を前記袋本体の後側内面に折り畳んだ状態で前記蓋体を該袋本体内に入れることにより、該袋本体内に左右一組の履物を収納可能に構成したことを特徴とする履物用吊下袋。
【請求項７】
前記袋本体を、底部から上方へ立ち上げられた前側部、後側部、左右一対の横側部の４枚からなり、前記前側部が、上下方向ほぼ中央部から上側を省略して前記開口を形成してなる請求項６に記載の履物用吊下袋。
【発明の詳細な説明】
【技術分野】
【０００１】
本発明は、靴やサンダルあるいは下駄などの履物を吊り下げて輸送（移動）又は保管したり、店頭などに展示する場合に効率よく使用することができる履物用吊下袋に関する。
【背景技術】
【０００２】
上記履物用吊下具としては、例えばフックの下端に備えさせた一対の挟持部材にて、左右一対の靴をそれらの靴底が水平方向で並んだ（揃えた）状態の各靴の内面同士を挟み込んで保持させ、それら挟み込んだ靴を覆うカバーを備えさせて、ロープや鴨居などにフックを係止することにより靴を屋内の上部空間に保管するように構成した靴用ハンガーが提案されている（例えば、特許文献１参照）。
【特許文献１】特開平８−２２４１５６号公報（図１参照）
【発明の開示】
【発明が解決しようとする課題】
【０００３】
上記特許文献１の靴用ハンガーでは、フックから下方へ垂下させた左右一対の挟持部材にて左右一対の靴を揃えた状態で挟み込んで保持させる構成であるため、水平方向に大きなスペースを必要とし、バックヤードなどでの収納効率や店頭などでの展示効率が低いものであった。
又、左右一対の靴のそれぞれの靴底面が上下方向において面一状になるように位置合わせを行ってから、一対の挟持部材にて挟持させて固定する構成であるため、挟持固定する作業が面倒であった。
又、挟持部材による挟持力のみで左右一対の靴を保持する構成であるため、挟持力をある程度大きくしなければならず、靴によっては傷付けてしまうことがあった。
又、カバーを靴の上から単に被せているだけであるため、輸送中に破れたり外れることがあり、商品展示時に再度カバーを取り付けなければならず、非常に手間のかかる煩わしいものであった。
【０００４】
本発明が前述の状況に鑑み、解決しようとするところは、収納効率や展示効率を高めることができながらも、位置合わせなどの煩わしい作業を不要にでき、しかも傷付けることがないだけでなく、取扱上において有利な履物用吊下袋を提供する点にある。
【課題を解決するための手段】
【０００５】
本発明は、前述の課題解決のために、上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために形成した開口を閉じるための蓋体とからなり、前記蓋体から前記袋本体内に収納された履物を前記開口を通して視認可能となるように少なくとも該蓋体の一部を透明又は半透明な材料から構成してなる履物用吊下袋。
袋本体に、左右一組の履物をはき口が前方に向いた状態、つまり履物の爪先部分と踵部分とが上下方向に沿った上下姿勢で収納することによって、袋本体が前後方向（水平方向）に大型化することを回避することができる。しかも仕切部材を設けることによって、左右の履物（特に皮や合成皮革を用いた靴など）同士が輸送中（移動中）などに擦れ合って履物の表面に傷が付いてしまうことを確実に回避することができる。又、蓋体にて袋本体の開口を閉じることによって、開口を通して塵などが袋本体内に侵入することを阻止することができる。又、蓋体の透明部又は半透明部を介して袋本体内に収納されている履物を外部から容易に視認することができる。
【０００６】
前記袋本体を、底部から上方へ立ち上げられた前側部、後側部、左右一対の横側部の４枚の可撓性を有するシート状部材からなり、前記前側部が、上下方向ほぼ中央部から上側を省略して前記開口を形成し、少なくとも前記開口に対応する前記蓋体の部分を透明な材料から構成してもよい。
【０００７】
前記吊り下げ部を、吊り下げるためのフック部と該フック部の下端に備えた水平支持部とから構成し、前記水平支持部の両端を差し込んで固定するためのゴム又は軟質性樹脂にて作成された左右一対の筒状部材を前記後側部の上側に取り付け、前記袋本体の上端の左右方向ほぼ中央に形成した貫通孔を通して前記フック部を上方へ突出させてもよい。
【０００８】
上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために少なくとも前方に形成した開口を閉じるための蓋体とからなり、前記蓋体の一端を前記袋本体の後側に固定し、かつ、該蓋体にて前方の開口を閉じてから該袋本体の後側まで該蓋体の他端側を巻回して固定してもよい。
【０００９】
前記袋本体の後側に補強用部材を設けてもよい。
【００１０】
上方に突出する状態で備えさせた吊り下げ部と、左右一組の履物をはき口が前方に向いた状態で、かつ、仕切部材にて左右方向で仕切った状態で収納するための袋本体と、前記袋本体に履物を挿入するために形成した開口を閉じるために該袋本体の上端に連結された蓋体とからなり、前記仕切部材を袋本体の後側内面に折り畳み自在に構成し、前記仕切部材を前記袋本体の後側内面に折り畳んだ状態で前記蓋体を該袋本体内に入れることにより、該袋本体内に左右一組の履物を収納可能に構成してもよい。
【００１１】
前記袋本体を、底部から上方へ立ち上げられた前側部、後側部、左右一対の横側部の４枚からなり、前記前側部が、上下方向ほぼ中央部から上側を省略して前記開口を形成してもよい。
【発明の効果】
【００１２】
袋本体に、左右一組の履物をはき口が前方に向いた状態で収納することによって、袋本体の水平方向のスペースをできるだけ小さく抑えることができるから、収納効率や展示効率を高めることができ、店舗にとって利点大な商品とすることができる。しかも、袋本体に履物を入れるだけで済み、位置合わせが不要であるだけでなく、運搬中などに履物同士が擦れ合って履物の表面に傷が付いてしまうといったこともない。更には、蓋体を通して袋本体の内部の履物を視認することができるから、運搬後においても履物を袋本体に入れたままで展示することができ、取扱上において有利になる。
【００１３】
フック部の下端に備えた水平支持部をゴム又は軟質性樹脂にて作成された筒状部材にて覆う構成とすることによって、履物が例えば硬質樹脂などでなる水平支持部に接当して履物の表面が傷付けることがないだけでなく、水平支持部を変形し易い筒状部材に迅速に差し込むことができる。
【００１４】
上方に突出する状態で備えさせた吊り下げ部と、左右一組の履物をはき口が前方に向いた状態で、かつ、仕切部材にて左右方向で仕切った状態で収納するための袋本体と、袋本体に履物を挿入するために少なくとも前方に形成した開口を閉じるための蓋体とからなり、蓋体の一端を袋本体の後側に固定し、かつ、蓋体にて前方の開口を閉じてから袋本体の後側まで蓋体の他端側を巻回して固定することによって、袋本体に対して小さなサイズの履物でも蓋体にて締め付けて履物を袋本体に強固に固定することができる。又、展示する場合には、蓋体を袋本体の後側部へ巻き込んで格納しておくことになり、迅速に蓋体を格納側へ操作することができる。又、前記同様に袋本体の水平方向のスペースをできるだけ小さく抑えることができるから、収納効率や展示効率を高めることができ、店舗にとって利点大な商品とすることができる。しかも、袋本体に履物を入れるだけで済み、位置合わせが不要であるだけでなく、運搬中などに履物同士が擦れ合って履物の表面に傷が付いてしまうといったこともない。
【００１５】
袋本体の後側に補強用部材を設けておけば、蓋体にて袋本体を締め付けた場合でも、大きく型くずれすることがない。
【００１６】
上方に突出する状態で備えさせた吊り下げ部と、左右一組の履物をはき口が前方に向いた状態で、かつ、仕切部材にて左右方向で仕切った状態で収納するための袋本体と、袋本体に履物を挿入するために形成した開口を閉じるために袋本体の上端に連結された蓋体とからなり、仕切部材を袋本体の後側内面に折り畳み自在に構成し、仕切部材を袋本体の後側内面に折り畳んだ状態で蓋体を袋本体内に入れることにより、袋本体内に左右一組の履物を収納可能に構成することによって、外部から容易に視認することができる展示姿勢に袋本体を切り替えることができる。又、前記同様に袋本体の水平方向のスペースをできるだけ小さく抑えることができるから、収納効率や展示効率を高めることができ、店舗にとって利点大な商品とすることができる。しかも、袋本体に履物を入れるだけで済み、位置合わせが不要であるだけでなく、運搬中などに履物同士が擦れ合って履物の表面に傷が付いてしまうといったこともない。
【発明を実施するための最良の形態】
【００１７】
図１〜図４に、左右一組の履物の一例である運動靴１，１をはき口が前方を向いた状態、例えば爪先部分と踵部分とが上下方向に沿った上下姿勢（図２では踵部分が下方で爪先部分が上方を向いた状態が安定してよいが、場合によってはその反対であってもよい）で収納するための履物用吊下袋２を示している。この履物用吊下袋２は、上端に上方に突出する状態で吊り下げ部を構成するフック３を備えさせると共に左右方向で運動靴１，１を仕切るための仕切部材４を備えさせた袋本体５と、この袋本体５に運動靴１，１を挿入するために形成した開口６を閉じるための蓋体７とから構成している。図１では、袋本体５の左右方向がパイプ８の長手方向とほぼ直交するように（交差する方向であってもよい）フック３を袋本体５に備えさせることによって、パイプ８の長手方向に多数の履物用吊下袋２を効率よく吊り下げることができる利点があるが、袋本体５の左右方向がパイプ２の長手方向とほぼ平行となるようにフック３を袋本体５に備えさせて実施することもできる。前記フック３は、パイプ８に引っ掛けて吊り下げ可能となる鈎状のフック部３Ａと、このフック部３Ａの下端に備え、かつ、袋本体５の左右幅よりも少し短い寸法に構成された一直線状の水平支持部３Ｂとから構成し、水平支持部３Ｂを袋本体５の上端に備えさせたループ部内に収納し、そのループ部の左右方向ほぼ中央で上端に形成した貫通孔５Ｓを通してフック部３Ａを上方へ突出させることができるようにしている。前記フック部３Ａの下端に半円状の部分３Ｃを備えさせてあり、その部分３Ｃに履物に関する情報、例えばサイズや色などを印刷したシール（図示せず）を貼り付けておくこともできるが、その半円状部分３Ｃは無くてもよい。前記フック３は、硬質性の合成樹脂で構成されていることから、水平支持部３Ｂをループ部内に収納することによって、袋本体５内に収納されている履物が水平支持部３Ｂに接当して履物を傷付けてしまうことがない利点がある。
【００１８】
前記袋本体５は、不織布でなる底部５Ａから袋本体５の上下長のほぼ三分の一程度上方へ立ち上げられた透明で軟質性樹脂でなる前側下部５Ｂ及び上端から袋本体５の上下長のほぼ五分の一程度下方へ垂下した不織布でなる前側上部５Ｃ、前面に折り畳み自在な前記仕切部材４を備えた不織布でなる上下方向に長い長方形状の後側部５Ｄ、これら前側部５Ｂ，５Ｃの左右両端及び後側部５Ｄの左右両端同士を連結する不織布でなる上端部に上端側ほど先細りとなる山型部を有する左右一対の横側部５Ｅ，５Ｅからなっているが、図に示される構成以外であってもよい。ここでは、通気性に優れた不織布を用いているが、通気性の無い材料であってもよい。又、前記前側下部５Ｂを透明な材料で構成したが、透明でない材料、例えば不織布で構成してもよい。尚、前記前側上部５Ｃの下端と前側下部５Ｂの上端との間に形成される開口６が、運動靴１，１を出し入れするための開口である。又、前記各横側部５Ｅの上下方向中間部に前側下部５Ｂと後側部５Ｄとに渡る長さの帯状のゴム９を備えさせてあり、運動靴１，１（履物）の大きさに係わらず、袋本体５とそれに収納された運動靴１，１（履物）との間に大きな隙間が発生することがないようにしている。つまり、小さな運動靴１，１（履物）を袋本体５に入れた状態で袋本体５とそれに収納された運動靴１，１（履物）との間に隙間が発生しないように袋本体５のサイズを設定しておけば、大きな運動靴１，１（履物）を袋本体５に収納することにより、ゴム９が延びることで、大きな運動靴１，１（履物）であっても袋本体５に収納することができるのである。
【００１９】
前記蓋体７は、不織布からなり、それの上端を前記前側上部５Ｃの上端と後側部５Ｄの上端とで挟んで縫着している。そして、前側上部５Ｃから下端までの外部に露呈される部分を袋本体５の左右幅よりも少し大きな左右幅を有し、かつ、下端が前側下部５Ｂの上下方向ほぼ半分を覆う位置となる横方向に長い長方形状に構成して、前記開口６を確実に閉じることができるようにしているが、蓋体７の大きさや形状は自由に変更することができる。図示していないが、前記蓋体７の下端側の左右両端のそれぞれに面ファスナー（ボタンなどでもよい）を取り付けると共に、これら面ファスナーに対応する横側部５Ｄ，５Ｄの位置に係脱可能な面ファスナー（ボタンでもよい）を取り付けて、蓋体７を袋本体５に固定解除自在に構成してもよい。
【００２０】
前記構成の履物用吊下袋２に、図２に示すように開口６を通して、運動靴１，１を収納してから、図１に示すようにパイプ８に吊り下げて、運搬（移動）が行えるようにしている。そして、運搬後において展示する場合には、運動靴１，１を取り出してから、仕切部材４を後側部５Ｄの前面（内面）に平行となるように折り目４Ａで折り返す（図３参照）。次に、蓋体７を袋本体５の内部に後側部５Ｄ及び左右一対の横側部５Ｅ，５Ｅの内面にそれぞれ接触する状態で収納してから、図４に示すように、運動靴１，１を袋本体５内に収納することによって、透明な前側下部５Ｂ及び開口６を通して内部に収納された運動靴１，１のほぼ全体を視認することができるようになっている。そして、この状態において展示したい箇所に吊り下げることになる。
【００２１】
図１〜図４では、運動靴１，１の展示を行う場合には、蓋体７を袋本体５内に収納するようにしたが、図５に示すように、蓋体７の２／３以上の上側部分７Ａを透明な軟質合成樹脂で構成することによって、開口６を閉じる蓋体７を閉じ姿勢のままで外部から容易に視認可能にしている。図５に示す１０，１０は、前側下部５Ｂに取り付けた面ファスナー１１，１１に対して係脱自在に蓋体７の下側部分７Ｂに取り付けた面ファスナーであるが、ボタンなどであってもよい。尚、蓋体７の左右寸法を袋本体５の左右幅とほぼ同一に設定しているため、蓋体７の左右端部が履物に接触して傷付けることがないように蓋体７の左右端部を内側に折り返して湾曲部７Ｗをそれぞれ構成している。又、図５では、前記水平支持部３Ｂの両端を差し込んで固定するためのゴム又は軟質性樹脂にて作成された左右一対の筒状部材１２，１２を前記後側部５Ｄの上側に取り付け、前記袋本体５の上端の左右方向ほぼ中央に形成した貫通孔５Ｓを通して前記フック部３Ａを上方へ突出させている。この場合も、筒状部材１２，１２に水平支持部３Ｂの両端を差し込むことで履物が水平支持部３Ｂに接当し難くしている。説明しなかった他の部分は、図１〜図４のものと同一である。
【００２２】
図１〜図５では、蓋体７の上端を固定し、蓋体７を下方へ降ろすことにより蓋をするようにしたが、図に示していないが、蓋体７の下端を固定し、蓋体７の上端を上方へ持ち上げて面ファスナーなどを用いて固定する構成であってもよいし、又、図６及び図７（ａ），（ｂ）に示すように、構成して実施することもできる。つまり、上方に突出する状態で備えさせた吊り下げ部３と、左右一組の履物（図示せず）をはき口が前方に向いた状態で、かつ、仕切部材４にて左右方向で仕切った状態で収納するための袋本体５と、袋本体５に履物を挿入するために少なくとも前方に形成した開口６を閉じるための蓋体７とからなり、蓋体７の一端７Ａを袋本体５の後側に固定し、かつ、蓋体７にて前方の開口６を閉じてから袋本体５の後側まで蓋体７の他端側を巻回して固定することによって、前記ゴム９を不要にしながらも、袋本体５に対して小さなサイズの履物でも蓋体７にて締め付けて履物を袋本体５に面ファスナー１３，１４（一方を蓋体７に他方を袋本体５の後側部５Ｄの後面に取り付ける）を介して強固に固定することができるようにしている。前記後側部５Ｄの後面に袋本体５の保形維持用の補強板（合成樹脂や厚紙などからなる）１５を挿入可能な空間部を形成するための不織布や布あるいは合成皮革や合成樹脂などでなる薄板材１６を縫着している。又、展示する場合には、例えば図７（ｂ）に示すように、蓋体７を袋本体５の後側部へ折り畳んで図示していない面ファスナーなどを用いて袋本体５に固定しておいたり、場合によっては蓋体７を着脱自在に袋本体５に備えさせて展示する場合には、蓋体７を取り外しておいてもよい。
【００２３】
図５で示した履物用吊下袋２を、図８に示すように構成してもよい。つまり、図５で示している折り返した左右の湾曲部７Ｗ，７Ｗを省略し、左右両端を一枚のもので構成している。又、蓋体７が、袋本体５の左右幅寸法と同一の左右幅寸法を有していることから、図５の構成では、蓋体７の左右両端から開口６を通して塵などが内部に侵入し易い構成となっているため、図８に示すように開口の左右両端を塞ぐための延出部５Ｆ，５Ｆを袋本体５の上端から前側下部５Ｂの上端までの間に配置している。又、図８では、前記ゴム９を省略しているが、設けていてもよい。図８において説明しなかった他の部分は、図５のものと同一である。
【図面の簡単な説明】
【００２４】
【図１】履物用吊下袋の斜視図である。
【図２】履物用吊下袋に収納した運動靴を外部から見えるように、蓋体を上方へ持ち上げた状態を示す一部を省略した斜視図である。
【図３】蓋体を蓋体内に収納する直前の状態を示す履物用吊下袋の一部を省略した斜視図である。
【図４】展示状態にした履物用吊下袋の斜視図である。
【図５】別の履物用吊下袋の斜視図である。
【図６】別の履物用吊下袋の斜視図である。
【図７】図６で示した履物用吊下袋の横断平面図であり、（ａ）は蓋体を閉じた状態を示し、（ｂ）は蓋体を開放した状態を示している。
【図８】別の履物用吊下袋の斜視図である。
【符号の説明】
【００２５】
１  運動靴
２  履物用吊下袋
３  フック
３Ａ  フック部
３Ｂ  水平支持部
３Ｃ  半円状部分
４  仕切部材
５Ｅ  横側部
５Ｆ  延出部
５Ｓ  貫通孔
５Ｄ  後側部
５Ｂ  前側下部
５Ｃ  前側上部
５  袋本体
５Ａ  底部
６  開口
７Ａ  一端
７  蓋体
８  パイプ
９  ゴム
１３  面ファスナー
１１  面ファスナー
１２  筒状部材
【図１】
2006034846.tif 000003
【図２】
2006034846.tif 000004
【図３】
2006034846.tif 000005
【図４】
2006034846.tif 000006
【図５】
2006034846.tif 000007
【図６】
2006034846.tif 000008
【図７】
2006034846.tif 000009
【図８】
2006034846.tif 000010